(57)【要約】【課題】部品点数の削減および製造コストの削減を図ることのできるコイルを提供する。【解決手段】一次コイル２６の外側に二次コイル２８を配置したコイルにおいて、二次コイル２８を形成する二次巻き線２８ａを巻き付ける二次コイルボビンを、一次コイル２６を形成する一次巻き線２６ａで形成するとともに、二次コイルボビン（一次コイル２６）の軸方向の両端に、二次コイル２８の巻き崩れを防止する巻き鍔部２６ｓを設ける。【選択図】図１
2009158559.tif 000002
【特許請求の範囲】
【請求項１】
第１コイルの外側に第２コイルを配置したコイルにおいて、
前記第２コイルを形成する第２巻き線を巻き付けるコイルボビンを、前記第１コイルを形成する第１巻き線で形成するとともに、前記コイルボビンに、前記第２コイルの巻き崩れを防止する巻き鍔部を設けた、
ことを特徴とするコイル。
【請求項２】
請求項１に記載のコイルにおいて、
前記巻き鍔部を、前記コイルボビンの軸方向の両端に設けた、
ことを特徴とするコイル。
【請求項３】
請求項１または請求項２に記載のコイルにおいて、
前記第１巻き線を、断面形状が矩形の平角線にした、
ことを特徴とするコイル。
【発明の詳細な説明】
【技術分野】
【０００１】
この発明は、例えば、自動車のエンジンなどの内燃機関の点火プラグに、火花放電を発生させるための高電圧を供給する内燃機関用点火コイルを構成するコイルに関するものである。
【背景技術】
【０００２】
図３は従来の内燃機関用点火コイルの一例を示す部分縦断面図である。
【０００３】
図３において、内燃機関用点火コイル１１は、絶縁ケース２１と、この絶縁ケース２１の側面部分に一体的に形成されたコネクタ部２１ｃに設けられている複数の低圧端子（一次端子）２２と、絶縁ケース２１の下端部分に一体的に形成された高圧タワー部２１ｔ内に圧入された高圧端子（二次端子）２３と、絶縁ケース２１内に収容されたコイル・鉄心組立体２４と、絶縁ケース２１内に充填され、各部品相互の高電圧絶縁を行う絶縁材（絶縁樹脂）としての熱硬化性樹脂３１とで構成されている。
なお、複数の低圧端子２２は、例えば、絶縁ケース２１の成形時にインサートされる。
【０００４】
上記したコイル・鉄心組立体２４は、一次コイルボビン２５と、この一次コイルボビン２５の外周に巻き線を巻き付け、積層して形成された一次コイル２６と、この一次コイル２６の外側（外周）に配置された、複数の巻き鍔部２７ｓで仕切られた複数の溝２７ｄを有する二次コイルボビン２７と、この二次コイルボビン２７の複数の溝２７ｄに巻き線を巻き付け、積層して形成された二次コイル２８と、一次コイル２６と二次コイル２８とを磁気的に結合する鉄心２９と、二次コイルボビン２７の端部に一端部が取り付けられて二次コイル２８の一端（高圧端）に一端部が電気的に接続され、他端部が自身の弾性で高圧端子２３に接触することにより、二次コイル２８からの高電圧を高圧端子２３へ伝達（供給）する端末リード３０とで構成されている。
【０００５】
そして、鉄心２９は、一次コイルボビン２５、一次コイル２６、二次コイルボビン２７および二次コイル２８を貫通するセンタ鉄心２９ａと、一次コイルボビン２５、一次コイル２６、二次コイルボビン２７および二次コイル２８の外側に配置され、センタ鉄心２９ａとともに閉磁路を形成する環状鉄心２９ｂとで構成されている。
なお、複数の低圧端子２２、一次コイル２６の両端、二次コイル２８の他端は所定の回路を構成するように接続されている。
【０００６】
この内燃機関用点火コイル１１は、エンジン・コントロール・ユニット（ＥＣＵ）から供給される信号に基づき、低圧端子２２を介して一次コイル２６に通電し、一次コイル２６への通電を遮断することにより、鉄心２９に磁束が発生し、変化することによって二次コイル２８に高電圧が発生し、端末リード３０を介して高圧端子２３に高電圧が伝達される（例えば、特許文献１参照。）。
【０００７】
また、上記したコイルをボビンレスコイルとすることが提案されている（例えば、特許文献２参照。）。
【０００８】
【特許文献１】特開２００３−４５７３０号公報
【特許文献２】特開２００７−６７０９０号公報
【発明の開示】
【発明が解決しようとする課題】
【０００９】
上記したように、コイルをボビンレスコイルにする場合、コイルを形成する巻き線の巻き崩れを防止するために巻き鍔部を設ける必要があるが、引用文献２に記載されているボビンレスコイルでは巻き鍔部を別部品としているので、部品点数の削減および製造コストの削減を図ることができなかった。
【００１０】
この発明は、上記したような不都合を解消するためになされたもので、部品点数の削減および製造コストの削減を図ることのできるコイルを提供するものである。
【課題を解決するための手段】
【００１１】
この発明は、以下のような発明である。
（１）第１コイルの外側に第２コイルを配置したコイルにおいて、前記第２コイルを形成する第２巻き線を巻き付けるコイルボビンを、前記第１コイルを形成する第１巻き線で形成するとともに、前記コイルボビンに、前記第２コイルの巻き崩れを防止する巻き鍔部を設けたことを特徴とする。
（２）（１）に記載のコイルにおいて、前記巻き鍔部を、前記コイルボビンの軸方向の両端に設けたことを特徴とする。
（３）（１）または（２）に記載のコイルにおいて、前記第１巻き線を、断面形状が矩形の平角線にしたことを特徴とする。
【発明の効果】
【００１２】
この発明によれば、第１コイルの外側に配置する第２コイルを形成する第２巻き線を巻き付けるコイルボビン、および、第２コイルの巻き崩れを防止する巻き鍔部を、第１コイルを形成する第１巻き線で形成したので、第２コイルのコイルボビンおよび巻き鍔部を別部品として用意する必要がないため、部品点数の削減および製造コストの削減を図ることができる。
そして、巻き鍔部を、コイルボビンの軸方向の両端に設けたので、第２コイルの巻き長さを長く取ることができるため、第２コイルの外径、すなわち、コイル全体の外径を小さくすることができる。
さらに、第１巻き線を、断面形状が矩形の平角線にしたので、第２コイルの巻き長さをさらに長く取ることができるため、第２コイルの外径、すなわち、コイル全体の外径をさらに小さくすることができる。
【発明を実施するための最良の形態】
【００１３】
以下、この発明の実施例を図に基づいて説明する。
【００１４】
図１はこの発明の一実施例である内燃機関用点火コイルの要部を示す部分拡大断面図あり、図３と同一または相当部分に同一符号を付し、その説明を省略する。
なお、この実施例の図示を省略した部分は、図３と同様に構成されている。
【００１５】
図１において、一次コイル（第１コイル）２６の外側に配置する二次コイル（第２コイル）２８を形成する二次巻き線（第２巻き線）２８ａを巻き付ける二次コイルボビン（コイルボビン）を、一次コイル２６を形成する一次巻き線（第１巻き線）２６ａで形成するとともに、二次コイルボビン（一次コイル２６）の軸方向の両端に、二次コイル２８の巻き崩れを防止する巻き鍔部２６ｓが設けられている。
【００１６】
上述したように、この発明の一実施例によれば、一次コイル２６の外側に配置する二次コイル２８を形成する二次巻き線２８ａを巻き付けるコイルボビン、および、二次コイル２８の巻き崩れを防止する巻き鍔部２６ｓを、一次コイル２６を形成する一次巻き線２６ａで形成したので、二次コイル２８の二次コイルボビンおよび巻き鍔部を別部品として用意する必要がないため、部品点数の削減および製造コストの削減を図ることができる。
そして、巻き鍔部２６ｓを、二次コイルボビン（一次コイル２６）の軸方向の両端に設けたので、二次コイル２８の巻き長さを長く取ることができるため、二次コイル２８（コイル全体）の外径を小さくすることができる。
【００１７】
図２はこの発明の他の実施例である内燃機関用点火コイルの要部を示す部分拡大断面図あり、図１、図３と同一または相当部分に同一符号を付し、その説明を省略する。
なお、この実施例の図示を省略した部分は、図３と同様に構成されている。
【００１８】
図２において、一次コイル（第１コイル）２６を形成する一次巻き線（第１巻き線）２６ａは、断面形状が矩形の平角線とされている。
【００１９】
この発明の他の実施例によれば、先の一実施例と同様な効果を得ることができるとともに、一次巻き線２６ａを、断面形状が矩形の平角線にしたので、二次コイル２８の巻き長さをさらに長く取ることができるため、二次コイル２８（コイル全体）の外径をさらに小さくすることができる。
【００２０】
上記した実施例では、巻き鍔部２６ｓを、二次コイルボビン（一次コイル２６）の軸方向の両端に設けた例を示したが、二次コイルボビン（一次コイル２６）の軸方向の両端の間に１つ以上の巻き鍔部を設けてもよい。
また、一次コイル２６を一次コイルボビン２５の外周に巻き付ける例を示したが、一次コイルをボビンレスコイルとしてもよい。
また、一次コイル２６の外側に二次コイル２８を配置した例を示したが、二次コイルの外側に一次コイルを配置する構成であっても、この発明を適用することができる。
また、内燃機関用点火コイル１１をコイルの例として示したが、トランスなどの他のコイルにも、この発明を適用することができる。
【図面の簡単な説明】
【００２１】
【図１】この発明の一実施例である内燃機関用点火コイルの要部を示す部分拡大断面図ある。
【図２】この発明の他の実施例である内燃機関用点火コイルの要部を示す部分拡大断面図ある。
【図３】従来の内燃機関用点火コイルの一例を示す部分縦断面図である。
【符号の説明】
【００２２】
１１      内燃機関用点火コイル
２１      絶縁ケース
２１ｃ    コネクタ部
２１ｔ    高圧タワー部
２２      低圧端子（一次端子）
２３      高圧端子（二次端子）
２４      コイル・鉄心組立体
２５      一次コイルボビン
２６      一次コイル（第１コイル、二次コイルボビン）
２６ａ    一次巻き線（第１巻き線）
２６ｓ    巻き鍔部
２７      二次コイルボビン
２７ｓ    巻き鍔部
２７ｄ    溝
２８      二次コイル（第２コイル）
２８ａ    二次巻き線（第２巻き線）
２９      鉄心
２９ａ    センタ鉄心
２９ｂ    環状鉄心
３０      端末リード
３１      熱硬化性樹脂（絶縁材、絶縁樹脂）
【図１】
2009158559.tif 000003
【図２】
2009158559.tif 000004
【図３】
2009158559.tif 000005